(57)【要約】      （修正有）【課題】極めて簡単な構造により使い勝手がいいごみ容器の連結構造を提供する。【解決手段】ごみ容器Ｐの一方の側面に凸側嵌合部１０、他方の側面に凹側嵌合部２０を配し、一方のごみ容器と他方のごみ容器の嵌合部を嵌合することによりごみ容器同士を連結するごみ容器の連結構造とし、ごみ容器の一方の側面のフランジ部２に平面方向外側に向けて膨出部を突設することにより凸側嵌合部とするとともに、対向する側面のフランジ部に平面方向内側および垂下方向に向けて凸側嵌合部の膨出部に対応した形状の凹陥部を凹設し、凹陥部に嵌入される凸側嵌合部の膨出部の垂下部を凹陥部の垂下部との間で挟持するための立ち上がり壁を凹陥部の底面から立設することにより凹側嵌合部とする。【選択図】図１
0003198614.tif 000002
【実用新案登録請求の範囲】
【請求項１】
開口部周縁に対し、その外方に延設させたフランジ平面部（２Ａ）と、上記フランジ平面部（２Ａ）端から下方に延設させたフランジ垂下部（２Ｂ）からなるフランジ部（２）を延在させた、上方に開口部（１）を有する筐体状のプラスチック製のごみ容器（Ｐ）において、
ごみ容器（Ｐ）の一方の側面に凸側嵌合部（１０）、上記側面と対向する他方の側面に凹側嵌合部（２０）を配し、一方のごみ容器（Ｐ）の凸側嵌合部（１０）と他方のごみ容器（Ｐ）の凹側嵌合部（２０）を嵌合することによりごみ容器同士を連結するごみ容器の連結構造とし、
ごみ容器（Ｐ）の一方の側面のフランジ部（２）に平面方向外側に向けて膨出部（１１）を突設することにより凸側嵌合部（１０）とするとともに、対向する側面のフランジ部（２）に平面方向内側および垂下方向に向けて凸側嵌合部（１０）の膨出部（１１）に対応した形状の凹陥部（２１）を凹設し、凹陥部（２１）に嵌入される凸側嵌合部（１０）の膨出部（１１）の垂下部（１２）を凹陥部（２１）の垂下部（２３）との間で挟持するための立ち上がり壁（２４）を上記凹陥部（２１）の底面（２２）から立設することにより凹側嵌合部（２０）としたことを特徴とするごみ容器の連結構造。
【請求項２】
ごみ容器（Ｐ）は平面四角形である請求項１記載のごみ容器の連結構造。
【請求項３】
凸側嵌合部（１０）および凹側嵌合部（２０）は平面台形である請求項１または２記載のごみ容器の連結構造。
【考案の詳細な説明】
【技術分野】
【０００１】
本願考案はプラスチック製のごみ容器に関し、より詳細にはごみ容器同士を連結可能なごみ容器における連結構造に関する。
【背景技術】
【０００２】
ごみが分別収集されることは現代の常識であり、それに対応した分別収容を可能とするごみ容器が望まれている。このようなごみ容器は一つのごみ容器に複数個のごみ収容部を設けることにより実現できるものであるが、構造が複雑となり製造コストが嵩む問題があった。
【０００３】
一方、上方に開口部を有し、これに蓋体を組み合わせた筐体状のプラスチック製のごみ容器が広く流通しているが、この種のごみ容器において互いに横方向に連結するための連結構造を設けることにより連結した複数のごみ容器をもって分別収容を可能にすることも行われている（特許文献１〜３）。
【０００４】
特許文献１においては、一方のごみ容器の側面に突設したカギ型の突出部を他方のごみ容器の側面に外挿することにより連結構造としたごみ容器が記載されている。
【０００５】
また、特許文献２においては、一方のごみ容器の側面に突設した一対の係合突起に他方のごみ容器の側面に凹設した一対の係合溝を係合することにより連結構造としたごみ容器が記載されている。
【０００６】
また、特許文献３においては、一方のごみ容器の側部に設けられ、上方に突出する凸部に対し、他方のごみ容器の側部に設けられ、下方に開口する凹部を、上方から嵌め込むことにより、前記一方のごみ容器と前記他方のごみ容器とを連結するごみ容器の連結構造であって、ごみ容器本体における上部には、該ごみ容器本体の外周を囲んで外側へ拡がるフランジ部が設けられ、前記フランジ部の一部を切り欠いて凸部側溝部が形成され、その外側に、前記フランジ部に連結された凸部が上方に突出して設けられており、前記フランジ部の一部を切り欠いて突出部側溝部が形成され、その外側に、内側に前記凹部が形成されている突出部が上方に突出すると共に前記フランジ部に連結されて設けられており、前記凸部の下端に、前記ごみ容器本体から連なる凸部補強部が備えられており、前記突出部の下端に、前記ごみ容器本体から連なる突出部補強部が備えられており、前記凸部側溝部および前記突出部側溝部の夫々に、袋における手提げ部を入れ込んだ状態で、前記凸部および前記突出部の夫々に前記手提げ部を引っ掛けることができるようになっている連結可能なごみ容器が記載されている。
【先行技術文献】
【特許文献】
【０００７】
【特許文献１】実開昭５０−２１９６８号公報
【特許文献２】意匠登録第１３０４２０９号公報
【特許文献３】特許第４３５５１８３号公報
【考案の概要】
【考案が解決しようとする課題】
【０００８】
前記の公知考案のうちの特許文献１に記載の連結構造は、容器の側面に突設したカギ型の突出部を他方のごみ容器の側面に外挿する関係上、突出部が他方のごみ容器の内方に飛び出し、ごみの収容に支障を来す問題があった。
【０００９】
また、特許文献２に記載の連結構造は一方のごみ容器の側面に突設した一対の係合突起に他方のごみ容器の側面に凹設した一対の係合溝を係合する関係上、係合溝に対し係合突起を正確に位置合わせして連結しなくてはならず、連結作業をスピーディに行えない問題があった。
【００１０】
また、特許文献３に記載の連結構造は構造が複雑であり、成型コストが嵩む問題があった。
【課題を解決するための手段】
【００１１】
本願考案は前記の課題に鑑みて創作されたものであり、極めて簡単な構造により使い勝手がいいごみ容器の連結構造を提供することを目的とする。すなわち、本願考案のごみ容器の連結構造は、
開口部周縁に対し、その外方に延設させたフランジ平面部と、上記フランジ平面部端から下方に延設させたフランジ垂下部からなるフランジ部を延在させた、上方に開口部を有する筐体状のプラスチック製のごみ容器において、
ごみ容器の一方の側面に凸側嵌合部、上記側面と対向する他方の側面に凹側嵌合部を配し、一方のごみ容器の凸側嵌合部と他方のごみ容器の凹側嵌合部を嵌合することによりごみ容器同士を連結するごみ容器の連結構造とし、
ごみ容器の一方の側面のフランジ部に平面方向外側に向けて膨出部を突設することにより凸側嵌合部とするとともに、対向する側面のフランジ部に平面方向内側および垂下方向に向けて凸側嵌合部の膨出部に対応した形状の凹陥部を凹設し、凹陥部に嵌入される凸側嵌合部の膨出部の垂下部を凹陥部の垂下部との間で挟持するための立ち上がり壁を上記凹陥部の底面から立設することにより凹側嵌合部としたことを特徴とする。
【考案の効果】
【００１２】
以上の構成よりなる本願考案のごみ容器の連結構造によれば、一方のごみ容器の凸側嵌合部を他方のごみ容器の凹側嵌合部に上から嵌め込むことによりごみ容器同士の連結が完了するので連結作業をスピーディに行うことができる。
【００１３】
前記の場合、凹側嵌合部の凹陥部に嵌入される凸側嵌合部の膨出部の垂下部を凹陥部の垂下部と凹陥部の底面から立設した立ち上がり壁との間で挟持するので、嵌合後は嵌合部同士は確実に嵌まり合い、ごみ容器同士の連結が強固に保たれる。
【００１４】
一方、凸側嵌合部はプラスチック製のごみ容器の一般的な構造である開口部周縁に対し、その外方に延設させたフランジ平面部と、上記フランジ平面部端から下方に延設させたフランジ垂下部からなるフランジ部を利用して、その一部に膨出部を突設することにより、凹側嵌合部は同じくフランジ部に平面方向内側および垂下方向に向けて凸側嵌合部の膨出部に対応した形状の凹陥部を凹設することにより得られるので、構造がシンプルであり既存の金型の手直しで構成することができ、また、型抜きも容易であり、低コストでごみ容器の連結構造を実現することができる。
【図面の簡単な説明】
【００１５】
【図１】本願考案の連結構造を実施したごみ容器の平面図。
【図２】同上、底面図。
【図３】同上、凹側嵌合部側の側面図。
【図４】同上、凸側嵌合部側の側面図。
【図５】同上、凸側嵌合部箇所の斜視図。
【図６】同上、凹側嵌合部箇所の斜視図。
【図７】同上、凸側嵌合部箇所の一部切欠き斜視図。
【図８】同上、凹側嵌合部と凹側嵌合部の嵌合の過程を示す一部切欠き斜視図。
【図９】同上、凹側嵌合部と凹側嵌合部の嵌合状態を示す一部切欠き斜視図。
【図１０】同上、二つのごみ容器の連結状態を示す平面図。
【図１１】本願考案の連結構造を実施したごみ容器の正面図。
【図１２】同上、背面図。
【考案を実施するための最良の形態】
【００１６】
以下、本願考案のごみ容器の連結構造の具体的実施例を添付図面に基づいて説明する。図１〜４、１１、１２は本願考案の連結構造が実施されるごみ容器を示す図である。このごみ容器Ｐは上方に開口部１を有し、これに蓋体を組み合わせた筐体状のプラスチック製のものであり、図では蓋体を外した容器本体部分を図示している。この実施例ではごみ容器Ｐとして平面矩形のものを例示している。
【００１７】
図中符号２は開口部１の周縁に対し延在されるフランジ部であり、このフランジ部は開口部１の周縁の外方に延設させたフランジ平面部２Ａと、上記フランジ平面部２Ａ端から下方に延設させたフランジ垂下部２Ｂから構成される。上記フランジ部２のフランジ垂下部２Ｂとごみ容器Ｐの側壁との間には複数の補強リブ３が配される（図２参照）。
【００１８】
前記のごみ容器Ｐのフランジ部２の一方の側面には凸側嵌合部１０が、上記側面と対向する他方のフランジ部の側面には凹側嵌合部２０が配される。ここでは前記の凸側嵌合部１０と凹側嵌合部２０はそれぞれ２つ配している。
【００１９】
図５〜９は前記の凸側嵌合部１０および凹側嵌合部２０の詳細を示す図である。凸側嵌合部１０はごみ容器Ｐの一方の側面のフランジ部２に平面方向外側に向けて膨出部１１を突設することにより構成されるものであり、この実施例では平面台形としている（図５、７、８参照）。なお、この膨出部１１は前記したようにフランジ部２の膨出部１１として構成されるので、フランジ部のフランジ垂下部２Ｂと連続する垂下部１２を有する。
【００２０】
凹側嵌合部２０は前記凸側嵌合部１０が設けられるごみ容器Ｐの一方の側面と対向する他方の側面のフランジ部２に平面方向内側および垂下方向に向けて前記凸側嵌合部の膨出部１１に対応した形状の台形の凹陥部２１を凹設することにより構成されるものであり、連結時に凹陥部に嵌入される凸側嵌合部の膨出部１１の垂下部１２を凹陥部の垂下部２３との間で挟持するための立ち上がり壁２４を上記凹陥部の底面２２から立設している（図６、８、９参照）。
【００２１】
以上の構成よりなる本願考案のごみ容器の連結構造は、一方のごみ容器Ｐの凸側嵌合部１０を他方のごみ容器Ｐの凹側嵌合部に上から嵌め込むことにより使用に供される（図９、１０参照）。
【符号の説明】
【００２２】
Ｐ                ごみ容器
１                開口
２                フランジ部
２Ａ              フランジ平面部
２Ｂ              フランジ垂下部
１０              凸側嵌合部      
２０              凹側嵌合部
【図１】
0003198614.tif 000003
【図２】
0003198614.tif 000004
【図３】
0003198614.tif 000005
【図４】
0003198614.tif 000006
【図５】
0003198614.tif 000007
【図６】
0003198614.tif 000008
【図７】
0003198614.tif 000009
【図８】
0003198614.tif 000010
【図９】
0003198614.tif 000011
【図１０】
0003198614.tif 000012
【図１１】
0003198614.tif 000013
【図１２】
0003198614.tif 000014